(57)【要約】【課題】電気、ガスその他のエネルギーの複合的な利用効率を比較検討しながら、居住者の生活様式、地域の気候特性、ＣＯ2 排出量などの環境負荷、光熱費の削減等をも考慮して、住宅における総合的なエネルギー活用計画に関する最善の提案を行うことのできるエネルギー設計システムを提供する。【解決手段】本発明の住宅のエネルギー設計システムは、居住者の生活様式に関する要望や住宅の立地環境における気象条件を考慮しつつ、電気エネルギー及びガスエネルギーの利用方式について複数の方式を総合的に比較検討して、エネルギーの利用効率が高く、環境に対する負荷や光熱費を低減させうる最善のエネルギー活用計画を提案するように構成される。【選択図】図１
2006330225.tif 000002
【特許請求の範囲】
【請求項１】
居住者の生活様式に関する要望や住宅の立地環境における気象条件を考慮しつつ、電気エネルギー及びガスエネルギーの利用方式について複数の方式を総合的に比較検討して、エネルギーの利用効率が高く、環境に対する負荷や光熱費を低減させうる最善のエネルギー活用計画を提案する住宅のエネルギー設計システム。
【発明の詳細な説明】
【技術分野】
【０００１】
本発明は、住宅における総合的なエネルギー活用計画について最善の提案を行うことのできるエネルギー設計システムに関する。
【背景技術】
【０００２】
近年、地球環境保護や省エネルギーの観点から、住宅におけるエネルギー利用の効率化や光熱費の削減を図るための技術が提案されている。
【０００３】
代表的なものは、電力会社と電機設備メーカーが中心になって推進している『エコキュート（登録商標）』、ガス会社とガス設備メーカーが中心になって推進している『エコウィル（登録商標）』の二つである。
【０００４】
『エコキュート』は、自然冷媒としてＣＯ2 を利用したヒートポンプ式の電気給湯システムであって、コンプレッサーで大気の熱を汲み上げ、その熱で給湯用の熱エネルギーをつくることにより、使用する電気エネルギーに対して約３倍の熱エネルギーを得ることができる。ヒートポンプシステムの冷媒として、従来のようなフロン系冷媒ではなく、地球温暖化係数の小さいＣＯ2 を使用するので、オゾン層破壊や温暖化ガス排出の抑制につながるという利点があり、また、割安な夜間電力を使用してさらに電気代を節約することができるという特長も有している。
【０００５】
『エコウィル』は、都市ガスまたはＬＰガスを燃料とするガスエンジンで発電機を回して電気を作り出し、その際に発生する排熱を利用して給湯や暖房を行う家庭用ガスコージェネレーションシステムである。発電と排熱利用を同時に行うことにより、エネルギーの活用効率を高められるという利点を有している。
【０００６】
また、これら以外にも、例えば太陽光発電設備を導入した場合の光熱費削減効果を試算するプログラム等も提案されている（例えば特許文献１、２等）。
【特許文献１】特開２００２−６３４１５号公報
【特許文献２】特開２００３−３５８６号公報
【発明の開示】
【発明が解決しようとする課題】
【０００７】
『エコキュート』や『エコウィル』は、電力・電設業界やガス業界が各々の立場で電気エネルギー又はガスエネルギーの効率的利用を推進しようとしているものであるから、基本的に商用電力又はガスという単独のエネルギー源を利用することしか考慮されていない。
【０００８】
しかし、今後の環境共生型住宅においては、商用電力やガスだけでなく、太陽光や風力等による自給エネルギーの利用率向上が求められるのに加え、雨水の再利用システムや、建物内外の緑化等による温暖化防止対策といった、多面的なエネルギー計画が重視されるようになる。さらに、かかるエネルギー計画は、居住者が求める生活様式や、地域の気候特性にも適合したものであることが望まれる。しかしながら、これらの多様な要素を複合的に比較検討して、居住者の生活様式や住宅の立地環境に合わせた最適なエネルギー計画を提案するシステムは、未だ存在しないのが実情である。
【０００９】
そこで、本発明は、電気、ガスその他のエネルギーの複合的な利用効率を比較検討しながら、居住者の生活様式、地域の気候特性、ＣＯ2 排出量などの環境負荷、光熱費の削減等をも考慮して、住宅における総合的なエネルギー活用計画に関する最善の提案を行うことのできるエネルギー設計システムを提供するものである。
【課題を解決するための手段】
【００１０】
本発明の住宅のエネルギー設計システムは、居住者の生活様式に関する要望や住宅の立地環境における気象条件を考慮しつつ、電気エネルギー及びガスエネルギーの利用方式について複数の方式を総合的に比較検討して、エネルギーの利用効率が高く、環境に対する負荷や光熱費を低減させうる最善のエネルギー活用計画を提案するものである。
【発明の効果】
【００１１】
本発明の住宅のエネルギー設計システムによれば、電気エネルギ及びガスエネルギーを利用する各種の設備について、居住者の望む生活様式や住宅の立地環境に応じた、環境負荷の小さい設備仕様を選択することが可能になる。
【発明を実施するための最良の形態】
【００１２】
以下、本発明の実施の形態について説明する。
【００１３】
図１は、本システムの概略構成を示すフローチャートである。
【００１４】
エネルギー活用計画の立案にあたっては、まずヒアリング段階Ｓ１で、居住者の望む生活様式やエネルギーの使い方に関する希望を抽出する。また、環境分析段階Ｓ２で、住宅の立地環境や地域の気象特性を分析する。
【００１５】
続くプラン作成段階Ｓ３では、ヒアリング段階Ｓ１及び環境分析段階Ｓ２で把握された情報を基に、住宅の空間構成や設備仕様を具体化した複数種類の計画案を作成する。
【００１６】
そして、上記計画案について、シミュレーション段階Ｓ４で現実の生活を想定した条件下での光熱費やＣＯ2 排出量を試算し、相互に比較検討する。
【００１７】
その比較検討結果に基き、必要があればプラン作成段階Ｓ３に戻って計画案を修正し、最適のエネルギー活用計画案がまとまれば、提案段階Ｓ５で、その計画案と、それを実現するための具体的な設備仕様を提案する。
ここで、首都圏都市部に住宅を新築する場合を例にとり、具体的なエネルギー活用計画をシミュレートすると以下のようになる。
【００１８】
居住者の生活様式に関しては、できるだけ自然の変化を感じとることのできる生活をしたいという要望が抽出される。そこで、機械式空調への依存度が小さくて済む設備仕様が検討され、通風や採光のための開口部を大きめに確保する計画案が採用される。
【００１９】
また、都市部における照り返しやヒートアイランド現象を少しでも緩和するため、屋上緑化を採用することとする。ＣＯ2 排出量の削減や光熱費の節約という観点からは、屋上に太陽光発電設備を設置することも検討されるが、居住者が緑のある生活を望むという条件から、太陽光発電設備よりも屋上緑化を優先することとする。太陽光の利用は、日射確保の面でやや不利になるが、外壁面の一部に太陽光発電設備を採用して、ＣＯ2 排出量を少しでも削減することとする。
【００２０】
屋上緑化を実現するため、雨水利用については植栽への散水が可能な程度の仕様で計画する。また、居住者ができるだけ毎日、入浴や選択を行うような住まい方を望むことから、節水対策として、浴排水を洗濯に利用できるようにする。
【００２１】
空調・給湯設備としては、都市部では燃料電池が利用できることから、エコキュートやエコウィルに比べてＣＯ2 削減効果の高いガス燃料電池システムを利用することとする。
【００２２】
冬季の暖房方式については、居住者がエアコンによる暖房よりも火を囲んで暖を採るような生活を望むことから、輻射方式の暖房設備として、ＣＯ2 削減効果にも優れるペレットストーブを採用する。
【００２３】
以上のような検討過程を経て具体的な設備仕様がまとめられ、居住者の生活様式や地域特性を反映させた、エネルギー効率にも優れる最善のエネルギー活用計画が提案される。
【図面の簡単な説明】
【００２４】
【図１】本発明のエネルギー設計システムの概略構成を示すフローチャートである。
【符号の説明】
【００２５】
Ｓ１  ヒアリング段階
Ｓ２  環境分析段階
Ｓ３  プラン作成段階
Ｓ４  シミュレーション段階
Ｓ５  提案段階
【図１】
2006330225.tif 000003